(57)【要約】【課題】紙類を保持するという機能性と、筆記者が特に屋外で使用する場合の利便性とを考慮した用箋ばさみ提供する。【解決手段】Ａ６サイズからＢ４サイズまでの紙類に対応する大きさの用箋ばさみ１００において、第１短辺縁部の中央部に位置する、短辺方向に沿って延びる第１クリップ２００と、前記第１短辺縁部に対向する第２短辺縁部の角部に位置する、短辺方向に沿って延びる第２クリップ３００と、を備える。【選択図】図１
2020183080.tif 000002
【特許請求の範囲】
【請求項１】
Ａ６サイズからＢ４サイズまでの紙類に対応する大きさの用箋ばさみにおいて、
第１短辺縁部の中央部に位置する、短辺方向に沿って延びる第１クリップと、
前記第１短辺縁部に対向する第２短辺縁部の角部に位置する、短辺方向に沿って延びる第２クリップと、
を備える用船ばさみ。
【請求項２】
前記第１クリップは、その開口部が前記第２短辺縁部側となる態様で、
前記第２クリップは、その開口部が前記第１短辺縁部側となる態様で、
それぞれ位置する、請求項１記載の用船ばさみ。
【請求項３】
前記第２クリップの長手方向の長さは、用箋ばさみ本体の短辺長の１２．５％〜３０％である、請求項１記載の用船ばさみ。
【請求項４】
前記紙類を覆う透光性シートを備える、請求項１記載の用船ばさみ。
【請求項５】
前記紙類を照明する光源が設けられている、請求項１記載の用船ばさみ。
【請求項６】
前記紙類の保持面に対する裏面に、用箋ばさみ本体を金属体に張り付ける磁石が設けられている、請求項１記載の用船ばさみ。
【発明の詳細な説明】
【技術分野】
【０００１】
本発明は、用箋ばさみに関し、特に、屋外での作業者に好適な用箋ばさみに関する。
【背景技術】
【０００２】
特許文献１には、木枠を必要とせず、かさばらないで旅行時の携帯性が良好な油絵セットについて開示されている。この油絵セットは、所定大きさの複数枚のキャンバスと、キャンバスを平坦状に保持する画板を備え、画板は、板部材と、板部材に積層状に接着又は貼着された板状クッション材とを備える。板状クッション材の縦寸法及び横寸法は、板部材の縦寸法及び横寸法とそれぞれ略等しく設定されており、キャンバスを着脱自在に保持するクリップが画板に固着されている。クリップは、上側の左右と下側の左右といった合計４か所に設けられている。
【特許文献１】特開２００４−３３８３２３号公報
【発明の開示】
【発明が解決しようとする課題】
【０００３】
特許文献１に開示されている油絵セットは、上側に２か所のみならず下に２か所も板状クッション材（クリップ）が設けられている。特許文献１に明記されていないので、予想の域を脱しないが、多くの油絵用のキャンバスは、８号乃至は１０号であり、これらの長手方向の長さは、それぞれ、４５．５ｃｍ乃至は５３ｃｍであるから、画板のサイズも、これらに対応するものであろうと予想される。そうであれば、クリップの数がある程度必要であろう。
【０００４】
これに対して、用箋ばさみは歩き回りながら筆記するような状況での使用を想定されていることから、その多くはいわゆるＡ４サイズ又はＢ５サイズの紙類を対象にしており、あとはＢ４サイズといったＡ４サイズよりもやや大きい紙類を対象としたものと、Ａ６サイズといったＢ５サイズよりやや小さい紙類を対象としたものが少数用意されているものの、その他のサイズ、とりわけ、これよりも大きなサイズに対応したものは非常に少ない。
【０００５】
例えば、Ａ４サイズ対応の用箋ばさみは、Ａ４サイズの紙類の短辺長さが２１ｃｍであることから、短辺長は約２３ｃｍ〜２４ｃｍ程度である。Ａ４サイズ対応の用箋ばさみには、使用時に上側となる短辺縁部の中央に、その短辺方向に沿って延びる上側クリップが一つだけ設けられている。上側クリップの長手方向の長さは、約８ｃｍ〜１４ｃｍ程度である。
【０００６】
この場合、上側クリップの長手方向の長さは、用箋ばさみの短辺長の約３５％〜６０％に相当するから、上側クリップを２つ以上設ける必要性には乏しく、この点は、Ｂ５サイズ、Ｂ４サイズ、Ａ６サイズ対応の用箋ばさみについても同様である。
【０００７】
また、Ａ４サイズ対応のサイズの用箋ばさみの場合には、本発明者が調査した範囲においては、下側クリップが設けられているものは発見できなかった。仮に、下側クリップが設けられた用箋ばさみがあったとしても、下側クリップの条件は、紙類を保持するという機能性と作業者の利便性とに基づいて決定されるべき重要なものであるところ、引用文献１に記載された発明はこの点まで考察されていないようである。
【０００８】
そこで、本発明は、紙類を保持するという機能性と、筆記者が特に屋外で使用する場合の利便性とを考慮した用箋ばさみ提供することを課題とする。
【課題を解決するための手段】
【０００９】
上記課題を解決するために、本発明は、
Ａ６サイズからＢ４サイズまでの紙類に対応する大きさの用箋ばさみにおいて、
第１短辺縁部の中央部に位置する、短辺方向に沿って延びる第１クリップと、
前記第１短辺縁部に対向する第２短辺縁部の角部に位置する、短辺方向に沿って延びる第２クリップと、
を備える。
【００１０】
前記第１クリップは、その開口部が前記第２短辺縁部側となる態様で、
前記第２クリップは、その開口部が前記第１短辺縁部側となる態様で、
それぞれ位置させるとよい。
【００１１】
前記第２クリップの長手方向の長さは、用箋ばさみ本体の短辺長の１２．５％〜３０％とすることができる。
【００１２】
さらに、前記紙類を覆う透光性シートを備えることもできる。
【００１３】
また、前記紙類を照明する光源が設けられていてもよい。
【００１４】
さらにまた、前記紙類の保持面に対する裏面に、用箋ばさみ本体を金属体に張り付ける磁石が設けられていてもよい。
【図面の簡単な説明】
【００１５】
【図１】本発明の実施形態１の用箋ばさみの模式的な説明図である。
【図２】本発明の実施形態２の用箋ばさみの模式的な説明図である。
【図３】本発明の実施形態３の用箋ばさみの模式的な説明図である。
【図４】本発明の実施形態４の用箋ばさみの模式的な説明図である。
【符号の説明】
【００１６】
１００  用箋ばさみ
２００  第１クリップ
３００  第２クリップ
４００  透光性シート
５００，６００  面ファスナ
７００  磁石
８００  磁石
９００  光源
【発明の実施の形態】
【００１７】
以下、本発明の実施形態について図面を参照して説明する。なお、本明細書では、Ａ４サイズの紙類に対応するサイズの用箋ばさみを例に説明する。
【００１８】
（実施形態１）
図１は、本発明の実施形態１の用箋ばさみ１００の模式的な説明図である。図１に示す用箋ばさみ１００は、それ自体は、表面がビニールなどで覆われた紙製、プラスチック製、木製など、素材は不問であるが、筆記に好適なように、ある程度の硬性を有するよい。
【００１９】
用箋ばさみ１００は、図１の上側となる第１短辺縁部の中央部に対して、用箋ばさみ１００本体の短辺方向に沿って延びる第１クリップ２００が設けられている。第１クリップ２００は、図示しないばねを内包する筒部２２０と、筒部２２０に対して回動するとともに当該ばねに連結されているアーム部２１０と、アーム部２１０とともに紙類を挟み込む台部２３０とを備える。
【００２０】
なお、第１クリップ２００の硬性は、図１に示すものに限られず、例えば、ばねに代えて用箋ばさみ１００本体又は台部２３０に取り付けられた磁石と、アーム部２１０に代えて台部２３０に対して回動するスチール板とを備える構成とすることもできる。
【００２１】
また、紙類が離脱することを回避するために、所要の摩擦力を有する円筒状のラバーをアーム部２１０の外周に巻き付けたり、所要の摩擦力を有するシート状のラバーを台部２３０の上面に張り付けたりすることも一法である。
【００２２】
用箋ばさみ１００は、図１の下側となる第２短辺縁部の角部に対して、用箋ばさみ１００本体の短辺方向に沿って延びる、第２クリップ３００が設けられている。第２クリップ３００の構成自体は、第１クリップ２００の硬性と同様であり、アーム部３１０と筒部３２０と台部３３０とを備える。
【００２３】
第２クリップ３００についても、磁石及びスチール板を備える構成とすることもできるし、アーム部３１０等にラバーを取り付けることもできる。
【００２４】
つぎに、用箋ばさみ１００の各部位の寸法について説明する。用箋ばさみ１００本体は、例えば、短辺長を２３．０ｃｍ〜２４．０ｃｍ（例えば、２３．５ｃｍ）、長辺長を３０．５ｃｍ〜３２．５ｃｍ（例えば、３２．０ｃｍ）、厚さを１．５ｍｍ〜４．０ｍｍ（例えば２．５ｍｍ）とすることができる。
【００２５】
第１クリップ２００は、長手方向の長さを８．０ｃｍ〜１６．０ｃｍ（例えば、１４．０ｃｍ）、短手方向の長さを２．５ｃｍ〜３．５ｃｍ（例えば、３．０ｃｍ）とすることができる。
【００２６】
第２クリップ３００は、長手方向の長さを３．０ｃｍ〜７．０ｃｍ（例えば、５．０ｃｍ）、短手方向の長さを２．５ｃｍ〜３．５ｃｍ（例えば、３．０ｃｍ）とすることができる。つまり、第２クリップ３００の長手方向の長さは、用箋ばさみ１００の短辺長の約１２．５％〜３０．０％の範囲となる。
【００２７】
また、第２クリップ３００は、用箋ばさみ１００の例えば図面左下の角部に設けるようにしているが、この場合には、第２クリップ３００の図面下端が用箋ばさみ１００の短辺縁から３．０ｍｍ〜５．０ｍｍに位置し、かつ、第２クリップ３００の図面左端が用箋ばさみ１００の長辺縁から３．０ｍｍ〜５．０ｍｍに位置するように設ければよい。
【００２８】
もっとも、第２クリップ３００の位置は、用箋ばさみ１００の図面左下角部に限定されるものではなく、用箋ばさみ１００の図面右下角部としたり、用箋ばさみ１００の図面下中央部としたりすることもできる。具体的な位置は、第２クリップ３００は、用箋ばさみ１００の例えば図面左下の角部に設ける場合と同様の条件とすればよい。
【００２９】
用箋ばさみ１００の使用方法は簡単であり、通常、まず紙類の上端を第１クリップ２００によって挟み、その後に紙類の下端を第２クリップ３００によって挟むことによって保持すればよい。
【００３０】
こうすると、例えば、用箋ばさみ１００を屋外で使用する場合にも、紙類が風を受けて、筆記が阻害されることもないし、紙類が破けることもないし、紙類が第１クリップ２００から離脱して飛ばされてしまうこともない。
【００３１】
しかも、第２クリップ３００は、用箋ばさみ１００の図面左下角部に設けていて、その長手方向の長さは用箋ばさみ１００の短辺長の約１２．５％〜３０．０％の範囲といった短さに過ぎないため、筆記の邪魔になることがほとんどない。
【００３２】
なお、第２クリップ３００は、用箋ばさみ１００本体に対して固定的に設けられている必要はなく、例えば、用箋ばさみ１００本体に対して可動的に設けられていてもよい。こうすると、紙類としてチェック表が記載された用紙を用箋ばさみ１００によって保持する場合に、チェック表によっては第２クリップ３００が筆記箇所と被り、筆記にしくいという事態も生じ得るが、そのような場合に、第２クリップ３００の位置を変更すれば、このような不都合を回避できる。
【００３３】
第２クリップを可動式にするためには、例えば、用箋ばさみ１００本体に長孔を設けるとともに、第２クリップ３００の台部３３０の裏面に当該長孔に通されて用箋ばさみ１００の裏面まで延びるプレートを設け、さらに、当該プレートの先端に第２クリップ３００の位置決めして停止させるストッパーを設ければよい。
【００３４】
（実施形態２）
図２（ａ）〜図２（ｃ）は、本発明の実施形態２の用箋ばさみ１００の模式的な説明図である。図２（ａ）には、図１に示した部分のほかに、用箋ばさみ１００によって保持される紙類を、雨水などからの防滴、飛砂を含む粉塵保護のために用いる透光性シート４００を示している。
【００３５】
透光性シート４００は、図２（ｂ）及び図２（ｃ）に示すように、面ファスナ５００，６００によって、用箋ばさみ１００本体に接続される。具体的には、まず、用箋ばさみ１００本体の裏面、すなわち、紙類の保持面に対する裏面に面ファスナ６００が取り付けられている。
【００３６】
面ファスナ６００の取付位置は、これに限定されるものではないが、用箋ばさみ１００の上端から１．０ｃｍ〜３．０ｃｍ（例えば、２．０ｃｍ）の位置に面ファスナ６００の上辺が位置するようにすればよい。
【００３７】
一方、透光性シート４００には、面ファスナ５００が取り付けられている。具体的には、面ファスナ５００は、長方形状の本体領域４１０に隣接する取付領域４２０に取り付けられている。また、透光性シート４００は、概略凸状をしたものを示している。もっとも、透光性シート４００は、長方形状のものを採用することもできるし、凹状のものを採用することもできる。
【００３８】
ただし、凹状又は凸状の透光性シート４００を採用すると、後述するように、本実施形態の用箋ばさみ１００の固有の部分と実施形態３の用箋ばさみ１００の固有の部分とを組み合わせたものを得ることができるという利点がある。
【００３９】
面ファスナ６００は、例えば、長手方向の長さが１５ｃｍ〜２０ｃｍ程度（例えば１８ｃｍ）、短手方向の長さが３ｃｍ〜７ｃｍ程度（例えば、５ｃｍ）とすればよく、接着剤、両面テープなどによって、用箋ばさみ１００に取り付ければよい。
【００４０】
透光性シート４００は、本体領域４１０と取付領域４２０とを含む長手方向の長さを１５ｃｍ〜２０ｃｍ程度（例えば１８ｃｍ）、短手方向の長さを３ｃｍ〜７ｃｍ程度（例えば、５ｃｍ）、厚みを０．５ｍｍ〜２．０ｍｍ程度（例えば１ｍｍ）としている。なお、本体領域４１０のみの長手方向の長さは４５ｃｍ〜５５ｃｍ程度（例えば５０ｃｍ）することができる。
【００４１】
透光性シート４００には、面ファスナ６００と同様の大きさの面ファスナ５００が、接着剤、両面テープなどによって取り付けられている。したがって、面ファスナ５００と面ファスナ６００とを位置合わせして接続することで、透光性シート４００を、用箋ばさみ１００に接続することが可能となる。
【００４２】
なお、面ファスナ５００，６００は、透光性シート４００と用箋ばさみ１００とを着脱可能に接続するための手法として一例として用いただけであり、例えば、磁力を用いて、これらを接続するなど、他の接続手法を採用することも可能である。
【００４３】
また、透光性シート４００を例えば常時水分・粉塵環境下において使用する場合には、透光性シート４００と用箋ばさみ１００とを着脱式とせずに、これらを固着式とした方が、筆記者の利便性が高いと考えられる。
【００４４】
このような用途の場合には、面ファスナ５００，６００等を用いることなく、接着剤又は両面テープ等によって、透光性シート４００と用箋ばさみ１００とを直接接続してもよい。
【００４５】
さらに、本実施形態では、図２（ａ）に示すように、透光性シート４００は、用箋ばさみ１００の裏面に接続されているが、接続位置はこれに限定されず、例えば用箋ばさみ１００の上端部としてもよい。
【００４６】
（実施形態３）
図３は、本発明の実施形態３の用箋ばさみ１００の模式的な説明図である。図３には、用箋ばさみ１００の裏面を示しており、用箋ばさみ１００を壁に取り付けた金属プレートであったり、事務用のスチールキャビネットであったりに張り付けられるように、一対の磁石７００を用箋ばさみ１００の裏面の角部に設けている。なお、用箋ばさみ１００の紙類の保持面は図１に示したように、第１クリップ２００及び第２クリップ３００が位置する。
【００４７】
磁石７００は、直径１ｃｍ〜１．８ｃｍ程度（例えば、１．５ｃｍ）で、厚みが３ｍｍ〜６ｍｍ程度（例えば、５ｍｍ）のドーナツ状のものを用いることができる。この形状の磁石７００の場合には、中央の穴部を通じて用箋ばさみ１００にねじ止めすればよい。
【００４８】
各磁石７００の取付位置は、これに限定されるものではないが、例えば、それらの軸心が用箋ばさみ１００の上端及び側端からそれぞれ１．０ｃｍ〜２．０ｃｍとなる位置に対して、対称的になるようにするとよい。また、各磁石７００は、例えば、ネオジム磁石、サマリウムコバルト磁石、プラセオジム磁石などの希土類磁石を用いることができる。
【００４９】
なお、本実施形態の用箋ばさみ１００の固有の部分である磁石７００は、実施形態２で説明した用箋ばさみ１００に設けることもできる。この場合、磁石７００の取付位置は、透光性シート４００が凸状をしているため、透光性シート４００によって邪魔されることなく、用箋ばさみ１００を金属プレート等に張り付けることが可能となる。
【００５０】
また、透光性シート４００が凹状をしている場合には、磁石７００を用箋ばさみ１００の角部に代えて、短辺中央部に設けるようにするとよい。こうすれば、透光性シート４００によって邪魔されることなく、用箋ばさみ１００を金属プレート等に張り付けることが可能となる。
【００５１】
なお、第１クリップ２００が、既述の磁石とスチール板とによって構成されるものを用いる場合には、磁石７００を用いることに代えて、第１クリップ２００の磁石を、用箋ばさみ１００を金属プレート等に張り付けることもできる。
【００５２】
（実施形態４）
図４（ａ）〜図４（ｂ）は、本発明の実施形態４の用箋ばさみ１００の模式的な説明図である。図４（ａ）には、図１に示した部分のほかに、紙類を照明する光源９００（図４（ｂ））を着脱可能とするための一対の磁石８００を用箋ばさみ１００の紙類の保持面の角部に設けている。
【００５３】
光源９００は、例えば、筆記者が右利きであれば図面左側の磁石８００に対して装着すればよいし、左利きであれば図面右側の磁石８００に対して装着すればよい。なお、光源９００は、少なくともいわゆる生活防水以上の防水機能を施すとよい。
【００５４】
図４（ｂ）には、用箋ばさみ１００に着脱可能な光源９００を示している。光源９００は、用箋ばさみ１００の使用時乃至は使用場所が夜間などの暗所である場合であっても、用箋ばさみ１００によって保持されている紙類を照明することによって、筆記者が懐中電灯などを別途用いなくとも、筆記を可能とするものである。
【００５５】
用箋ばさみ１００は、図４（ｂ）に示すタイプのものは、以下説明する、先端部９１０と、可撓部９２０と、基端部９３０と、に大別される。もっとも、光源９００は、用箋ばさみ１００によって保持されている紙類を照明できるものであれば、図４（ｂ）に示す構成に限定されるものではない。
【００５６】
先端部９１０には、図示しないボタン電池などを電源とするＬＥＤ９１２と、ＬＥＤ９１２が取り付けられている第１筐体９１４と、第１筐体９１４の側部などに設けられているＬＥＤ９１２の点灯／消灯スイッチ９１６と、第１筐体９１４に対して螺合されボタン電池などが収容される第２筐体９１８とを備える。
【００５７】
可撓部９２０は、硬鋼線と軟鋼線とを組み合わせることによって撓むことができ、かつ、可撓部９２０本体の形状を保持するものである。可撓部９２０は、例えば、長さが１０ｃｍ〜１８ｃｍ程度（例えば、１５ｃｍ）、外径が３ｍｍ〜５５ｍｍ程度（例えば、４ｍｍ）といった寸法とされている。
【００５８】
基端部９３０は、磁石８００に対して接続される円盤状の金属プレート９３２と、金属プレート９３２と可撓部９２０とを連結する略円錐状の連結部９３４とを備える。なお、基端部９３０に磁石８００を設け、用箋ばさみ１００本体に金属プレート９３２を設けることによって、用箋ばさみ１００と光源９００との接続を行うようにしてもよいし、磁石８００及び金属プレート９３２に代えて、一対の面ファスナを用いて接続してもよい。
【００５９】
なお、本実施形態の用箋ばさみ１００の固有の部分である光源９００及びこれに付帯する磁石８００は、実施形態２及び／又は実施形態３で説明した用箋ばさみ１００とともに用いることもできる。
【００６０】
例えば、実施形態２で説明した用箋ばさみ１００に対して光源９００を用いる場合には、透光性シート４００によって光源９００を覆うとよい。こうすると、光源９００に防水機能を施さなくてもよいという利点がある。
【００６１】
また、例えば、実施形態３で説明した用箋ばさみ１００に対して光源９００を用いる場合には、磁石７００と磁石８００とを共有してもよい。一例としては、用箋ばさみ１００本体に磁石８００に対応する大きさの一対の貫通孔乃至は肉薄の底面を残した凹部を設けて、これらに磁石８００を圧入等によって装着すれば、用箋ばさみ１００の紙類の保持面では光源９００との接続が可能となるだけではなく、実施形態２で説明したように、磁石７００を兼用する磁石８００によって用箋ばさみ１００の裏面では金属プレート等に張り付けることが可能となる。
【図１】
2020183080.tif 000003
【図２】
2020183080.tif 000004
【図３】
2020183080.tif 000005
【図４】
2020183080.tif 000006